(57)【要約】【課題】廃熱性能を維持しつつ騒音及び振動を低減することができるリブ構造を提供する。【解決手段】本発明に係るリブ構造は、正六角形の各頂点位置に配列された柱状の支柱リブ１１と、上記正六角形の各頂点位置に配列された全ての支柱リブ１１の側面に対し各頂点が嵌合する、等辺六芒星型の周縁形状である架設リブ１２とを備え、架設リブ１２は、中心に正六角柱状の中空部１２ａが形成され、中空部１２ａは、その各内壁面がそれぞれ最も近い支柱リブ１１に正対する向きとなっていることにより、廃熱性能を維持しつつ騒音及び振動を低減することができる。【選択図】図１
2020043627.tif 000002
【特許請求の範囲】
【請求項１】
正六角形の各頂点位置に配列された柱状の支柱リブと、
前記正六角形の各頂点位置に配列された全ての前記支柱リブの側面に対し、各頂点が嵌合する、等辺六芒星型の周縁形状である架設リブとを備え、
前記架設リブは、中心に正六角柱状の中空部が形成され、該中空部は、その各内壁面がそれぞれ最も近い前記支柱リブに正対する向きとなっている
ことを特徴とするリブ構造。
【請求項２】
多角形の各頂点位置に配列され、孔を有する柱状の支柱リブと、
各前記支柱リブの前記孔にそれぞれ配され、音を吸収する吸音材と、
前記多角形の各頂点位置に配列された全ての前記支柱リブを連結するように配される架設リブとを備える
ことを特徴とするリブ構造。
【請求項３】
前記多角形は正六角形であり、
前記架設リブは、前記正六角形の各頂点位置に配列された全ての前記支柱リブの側面に対し、各頂点が嵌合する、等辺六芒星型の周縁形状である
ことを特徴とする請求項２に記載のリブ構造。
【請求項４】
前記架設リブは、中心に正六角柱状の中空部が形成されている
ことを特徴とする請求項３に記載のリブ構造。
【請求項５】
前記架設リブは、前記支柱リブから離間するほど、その高さが低くなる形状である
ことを特徴とする請求項１から４のいずれか１項に記載のリブ構造。
【請求項６】
前記架設リブは、前記支柱リブよりも低く、その高さは位置に依らず一定である
ことを特徴とする請求項１から４のいずれか１項に記載のリブ構造。
【請求項７】
多角形の各頂点位置に配列され、孔を有する柱状の支柱リブと、
各前記支柱リブの前記孔にそれぞれ配され、音を吸収する吸音材と、
前記多角形の各頂点位置に配列された前記支柱リブのうち、隣り合う前記支柱リブ同士を連結するように配される架設リブとを備える
ことを特徴とするリブ構造。
【請求項８】
前記吸音材がそれぞれ配された３つの孔を有する複合支柱リブを備え、
前記多角形は正三角形であり、
前記複合支柱リブは、前記３つの孔が前記正三角形の各辺上にそれぞれ位置するように点対称に配された形状であり、
前記架設リブは、隣り合う前記支柱リブ同士を、前記複合支柱リブを介して連結するように配される
ことを特徴とする請求項７に記載のリブ構造。
【請求項９】
前記架設リブは、前記支柱リブ及び前記複合支柱リブから離間するほど、その高さが低くなる形状である
ことを特徴とする請求項８に記載のリブ構造。
【請求項１０】
前記架設リブは、前記支柱リブ及び前記複合支柱リブよりも低く、その高さは位置に依らず一定である
ことを特徴とする請求項８に記載のリブ構造。
【発明の詳細な説明】
【技術分野】
【０００１】
本発明は、回転電機に用いるリブ構造に関する。
【背景技術】
【０００２】
例えばＥＶモータ、ダイナモモータ、あるいは発電機等の回転電機において、音振問題、すなわち騒音や振動が発生することがある。このうち、騒音対策としては、例えば下記特許文献１〜４に吸音材を設ける技術が開示されている。なお、吸音材とは音を吸収する材料を指す。
【先行技術文献】
【特許文献】
【０００３】
【特許文献１】特開２０１０‐２２３３１３号公報
【特許文献２】特開２００６‐４６４１８号公報
【特許文献３】国際公開第２０１０／００７８３４号
【特許文献４】特開２００９‐２６４１０２号公報
【特許文献５】特開２０１７‐７０１２０号公報
【発明の概要】
【発明が解決しようとする課題】
【０００４】
ところで、上記各特許文献に開示された吸音材は、貼り付ける領域の大きさにしたがって騒音低減効果が変化する。そのため、例えば当該構造をモータケースに用いる場合、より騒音を低減しようと吸音材の貼り付ける領域を大きくすると、それによってモータケースの廃熱性能が低下してしまう。
【０００５】
一方で、例えば、上記特許文献５に開示されたリブ構造を用いることで、振動を抑制し、この振動による騒音を低減することが考えられる。
【０００６】
ここで、上記特許文献５に開示された従来のリブ構造ついて、図９の斜視図を用いて簡単に説明する。上記特許文献５に開示された従来のリブ構造は、板体１００上において、３本の直方体状リブ１０２ａ，１０２ｂ，１０２ｃを正三角形状に配列した複数の単位リブ１０２が、互いに１辺（１本の直方体状リブ）を共有するようにして並ぶとともに、直方体状リブ１０２ａ，１０２ｂ，１０２ｃが交わる交差部が６つの正三角形の頂点から成るように配設され、当該交差部には、周囲に配置された６つの他にリブの内側に延在するように柱状リブ１０１が設けられている。
【０００７】
しかしながら、上記特許文献５に開示された従来のリブ構造では、振動を抑制する効果が低く、したがって、この振動による騒音を低減する効果も低い。
【０００８】
本発明は、上記技術的課題に鑑み、廃熱性能を維持しつつ騒音及び振動を低減することができるリブ構造を提供することを目的とする。
【課題を解決するための手段】
【０００９】
上記課題を解決するための第１の発明に係るリブ構造は、
正六角形の各頂点位置に配列された柱状の支柱リブと、
前記正六角形の各頂点位置に配列された全ての前記支柱リブの側面に対し、各頂点が嵌合する、等辺六芒星型の周縁形状である架設リブとを備え、
前記架設リブは、中心に正六角柱状の中空部が形成され、該中空部は、その各内壁面がそれぞれ最も近い前記支柱リブに正対する向きとなっている
ことを特徴とする。
【００１０】
上記課題を解決するための第２の発明に係るリブ構造は、
多角形の各頂点位置に配列され、孔を有する柱状の支柱リブと、
各前記支柱リブの前記孔にそれぞれ配され、音を吸収する吸音材と、
前記多角形の各頂点位置に配列された全ての前記支柱リブを連結するように配される架設リブとを備える
ことを特徴とする。
【００１１】
上記課題を解決するための第３の発明に係るリブ構造は、
上記第２の発明に係るリブ構造において、
前記多角形は正六角形であり、
前記架設リブは、前記正六角形の各頂点位置に配列された全ての前記支柱リブの側面に対し、各頂点が嵌合する、等辺六芒星型の周縁形状である
ことを特徴とする。
【００１２】
上記課題を解決するための第４の発明に係るリブ構造は、
上記第３の発明に係るリブ構造において、
前記架設リブは、中心に正六角柱状の中空部が形成されている
ことを特徴とする。
【００１３】
上記課題を解決するための第５の発明に係るリブ構造は、
上記第１から４のいずれか１つの発明に係るリブ構造において、
前記架設リブは、前記支柱リブから離間するほど、その高さが低くなる形状である
ことを特徴とする。
【００１４】
上記課題を解決するための第６の発明に係るリブ構造は、
上記第１から４のいずれか１つの発明に係るリブ構造において、
前記架設リブは、前記支柱リブよりも低く、その高さは位置に依らず一定である
ことを特徴とする。
【００１５】
上記課題を解決するための第７の発明に係るリブ構造は、
多角形の各頂点位置に配列され、孔を有する柱状の支柱リブと、
各前記支柱リブの前記孔にそれぞれ配され、音を吸収する吸音材と、
前記多角形の各頂点位置に配列された前記支柱リブのうち、隣り合う前記支柱リブ同士を連結するように配される架設リブとを備える
ことを特徴とする。
【００１６】
上記課題を解決するための第８の発明に係るリブ構造は、
上記第７の発明に係るリブ構造において、
前記吸音材がそれぞれ配された３つの孔を有する複合支柱リブを備え、
前記多角形は正三角形であり、
前記複合支柱リブは、前記３つの孔が前記正三角形の各辺上にそれぞれ位置するように点対称に配された形状であり、
前記架設リブは、隣り合う前記支柱リブ同士を、前記複合支柱リブを介して連結するように配される
ことを特徴とする。
【００１７】
上記課題を解決するための第９の発明に係るリブ構造は、
上記第８の発明に係るリブ構造において、
前記架設リブは、前記支柱リブ及び前記複合支柱リブから離間するほど、その高さが低くなる形状である
ことを特徴とする。
【００１８】
上記課題を解決するための第１０の発明に係るリブ構造は、
上記第８の発明に係るリブ構造において、
前記架設リブは、前記支柱リブ及び前記複合支柱リブよりも低く、その高さは位置に依らず一定である
ことを特徴とする。
【発明の効果】
【００１９】
本発明に係るリブ構造によれば、廃熱性能を維持しつつ騒音及び振動を低減することができる。
【図面の簡単な説明】
【００２０】
【図１】本発明の実施例１に係るリブ構造の上面図である。
【図２】図１のＡ‐Ａ断面図である。
【図３】本発明の実施例２に係るリブ構造の上面図である。
【図４】図３のＢ‐Ｂ断面図である。
【図５】本発明の実施例３に係るリブ構造の上面図である。
【図６】図５のＣ‐Ｃ断面図である。
【図７】架設リブの変形例を示す断面図である。
【図８】架設リブの他の変形例を示す断面図である。
【図９】従来のリブ構造を示す斜視図である。
【発明を実施するための形態】
【００２１】
本発明は、振動を抑制し、この振動による騒音を低減するのみならず、そこに吸音材を効率的に配列することで、廃熱効果を維持しつつ、騒音源からの騒音を低減するものである。以下、本発明に係るリブ構造について、実施例にて図面を用いて説明する。
【００２２】
［実施例１］
本実施例に係るリブ構造の構成について説明する。図１は本実施例に係るリブ構造（リブ構造１）の上面図であり、図２は図１のＡ‐Ａ断面図である。
【００２３】
リブ構造１は、板体１０上において、それぞれ複数の支柱リブ１１及び架設リブ１２を備えている。なお、複数の支柱リブ１１及び架設リブ１２は、一体としても別体としてもよい。
【００２４】
複数の支柱リブ１１は、それぞれ円柱状であり、図１において破線で示すように、上面視において、仮想ハニカム形状の各正六角形の各頂点位置、すなわち仮想的に平面充填された各正六角形の各頂点位置に（その軸心が位置するようにして）配列されている。
【００２５】
複数の架設リブ１２は、それぞれ筒状であり、図１に示すように、上面視において、上記各正六角形それぞれの中央に配列されている。
【００２６】
また、複数の架設リブ１２は、上記各正六角形のうち、一つの正六角形の各頂点位置に配列された全ての支柱リブ１１の側面に対し、各頂点が嵌合する、等辺六芒星型の周縁形状（上面視）に、それぞれ形成されている。
【００２７】
さらに、架設リブ１２の中心には、正六角柱状の中空部１２ａが形成されており、この中空部１２ａは、その各内壁面が、それぞれ最も近い支柱リブ１１に正対する向きとなっている。
【００２８】
また、架設リブ１２は、図１，２に示すように、中空部１２ａ周辺（等辺六芒星型の各突部よりも内径側、すなわち、図１の二点鎖線の内側）における軸方向高さ（図２のｈ）は、支柱リブ１１の高さ（図２のＨ）よりも低く、およそ半分程度となっている。さらに、等辺六芒星型の各突部（図１の二点鎖線の外側）は、支柱リブ１１に向かって軸方向高さが漸増し、支柱リブ１１に対して等しい高さで接している。
【００２９】
なお、本実施例では、支柱リブ１１の形状を円柱状であるものとしたが、本発明はこれに限定されるものではなく、支柱リブ１１は例えば角柱状などであってもよい。
【００３０】
本実施例では、リブ構造１を上述の構成とすることで、従来のリブ構造に比べ、より強度を向上することができ、振動を低減するとともに、この振動に伴う騒音を低減することができ、また、吸音材を用いていないため、廃熱性能を維持することができる。
【００３１】
［実施例２］
本実施例に係るリブ構造の構成について説明する。図３は本実施例に係るリブ構造（リブ構造２）の上面図であり、図４は図３のＢ‐Ｂ断面図である。以下、実施例１と異なる点を中心に説明する。
【００３２】
図３，４に示すように、リブ構造２は、それぞれ複数の支柱リブ２１、架設リブ２２、及び吸音材２３を備えている。このうち架設リブ２２は、実施例１の架設リブ１２と同一形状であり、その配列も同一である。
【００３３】
複数の支柱リブ２１は、それぞれ実施例１の支柱リブ１１の中心に貫通孔２１ａが形成された円筒形状である。そして、各貫通孔２１ａには、それぞれ貫通孔２１ａに対応する形状の吸音材２３が設けられている。なお、吸音材２３は貼り付けや吹き付けにより設置する。
【００３４】
支柱リブ２１は、貫通孔２１ａの中で対象とする音を共鳴させ、吸音材２３によってエネルギーを消費させることができる。また、貫通孔２１ａの深さを変更することで、共鳴する振動数を変更することができる。
【００３５】
なお、本実施例では、支柱リブ２１が円筒形状であり、貫通孔を有するものとしたが、本発明はこれに限定されるものではなく、支柱リブ２１は例えば角柱状に角柱あるいは円柱の貫通孔が形成されていてもよく、また、貫通孔ではなく底面を有する孔であってもよい。
【００３６】
さらに本実施例では、支柱リブ２１の配列に関して、実施例１同様、仮想的に平面充填された各正六角形の各頂点位置としてもよいが、正六角形以外の多角形の各頂点位置としてもよい。さらに、架設リブ２２の形状については、支柱リブ２１の配列が正六角形の場合は等辺六芒星型となるが、多角形の場合は、１つの多角形の各頂点位置に配列された全ての支柱リブ２１を連結するように配されていればよく、中空部（中空部１２ａ）を有していなくともよい。
【００３７】
これは、本実施例に係るリブ構造（リブ構造２）は吸音材を有している分、リブ構造そのものの強度（振動抑制効果）が実施例１に係るリブ構造（リブ構造１）ほど無くとも、結果として騒音を低減することができるためである。
【００３８】
本実施例では、リブ構造２を上述の構成とすることで、実施例１に係るリブ構造１の作用効果に加えて、さらに、吸音材によって、近隣にある騒音源からの騒音を吸収することができる。そして、吸音材を効率的に配置することにより、吸音材の貼り付け面積を小さくし、吸音材を設けることによる製造コストの抑制、及び廃熱性能の維持が可能となる。
【００３９】
［実施例３］
本実施例に係るリブ構造の構成について説明する。図５は本実施例に係るリブ構造（リブ構造３）の上面図であり、図６は図５のＣ‐Ｃ断面図である。以下、実施例２と異なる点を中心に説明する。
【００４０】
図５，６に示すように、リブ構造３は、それぞれ複数の支柱リブ３１、架設リブ３２、支柱リブ用吸音材３３、複合支柱リブ４１、及び複合支柱リブ用吸音材４３を備えている。
【００４１】
このうち、支柱リブ３１、及び、支柱リブ３１の貫通孔３１ａに配された支柱リブ用吸音材３３は、実施例２の支柱リブ２１及び吸音材２３と同一形状であり、その作用効果も同様である。ただし、支柱リブ３１の配列は実施例２の支柱リブ２１と異なる。
【００４２】
すなわち、複数の支柱リブ３１は、図５において破線で示すように、上面視において、仮想的に平面充填された各正三角形の各頂点位置に、（その軸心が位置するようにして）配列されている。
【００４３】
また、複合支柱リブ４１は、支柱リブ３１と同形状の３つのリブを、互いの側面が接触するように点対称に配置し、この３つのリブの中央に形成される空隙部分を埋めたような形状となっている。さらに、複合支柱リブ４１は、支柱リブ３１に対応する形状のそれぞれに対し、その中心に貫通孔４１ａが形成され、各貫通孔４１ａには、それぞれ貫通孔４１ａに対応する形状の複合支柱リブ用吸音材４３（吸音材２３と同一）が配置されている。
【００４４】
そして、この複合支柱リブ４１は、図５に示すように、上面視において、破線で示した上記正三角形の中央位置において、上記正三角形の各辺上に貫通孔４１ａ及び複合支柱リブ用吸音材４３が位置するように配置されている。
【００４５】
換言すれば、複合支柱リブ４１は、複合支柱リブ用吸音材４３がそれぞれ配された３つの貫通孔４１ａを有し、３つの貫通孔４１ａが上記正三角形の各辺上の中央にそれぞれ位置するように点対称に配された形状である。
【００４６】
また、架設リブ３２は、図５，６に示すように、１つの上記正三角形の各頂点位置に配列された支柱リブ３１のうち、隣り合う支柱リブ３１同士を、複合支柱リブ４１を介して連結するように配される。
【００４７】
さらに、架設リブ３２は、図６に示すように、支柱リブ３１及び複合支柱リブ４１との接合位置においては、支柱リブ３１及び複合支柱リブ４１と同じ高さで繋がっており、支柱リブ３１及び複合支柱リブ４１と離れるほど高さが低くなっている。
【００４８】
なお、本実施例においては、支柱リブ３１及び複合支柱リブ４１に、それぞれ貫通孔３１ａ，４１ａが形成されるものとしたが、これは貫通孔ではなく底面を有する孔としてもよい。さらに、複数の支柱リブ３１は、上面視において、仮想的に平面充填された各正三角形の各頂点位置に配列されているものとしたが、本発明はこの配列が正三角形に限定されるものではなく、その他の多角形であってもよい。
【００４９】
また、本実施例に係るリブ構造３は、複合支柱リブ４１及び複合支柱リブ用吸音材４３を備えていなくとも、実施例２に係るリブ構造２と同等の作用効果を奏する。しかしながら、複合支柱リブ４１を備えることで、さらに強度が向上し、振動及びこの振動に伴う騒音をより低減することができ、また、複合支柱リブ用吸音材４３を備えることで、全体的な吸音材の配列密度が高くなり、騒音低減効果が一層向上する。
【００５０】
［実施例４］
本実施例では、上記実施例１〜３で説明した架設リブ１２，２２，３２の形状の変形例について図７，８を用いて説明する。なお、以下では、実施例１の支柱リブ１１を例として用いているが、実施例２，３の支柱リブ２１，３１（あるいは複合支柱リブ４１）としても同じことである。
【００５１】
架設リブ１２，２２，３２は、それぞれ支柱リブ１１，２１，３１（あるいは複合支柱リブ４１）から離間するほど、その高さが低くなる形状であったが、図７に示すように、架設リブ１２，２２，３２の変形例としての架設リブ４２は、支柱リブ１１（高さＨ）よりも低く、その高さは位置に依らず一定（高さｈ）に形成されている。
【００５２】
また、図８に示すように、架設リブ１２，２２，３２の他の変形例としての架設リブ５２は、架設リブ４２の形状に加え、支柱リブ１１との接合位置において、その上面にＲ形状の部材を設けることで、支柱リブ１１から離間した位置においては低く、支柱リブ１１近傍ではＲ形状の部材分高くなっている。
【００５３】
実施例１〜３の架設リブ１２，２２，３２を図７，８に示す架設リブ４２，５２の形状に変更しても、同等の作用効果を奏する。
【産業上の利用可能性】
【００５４】
本発明は、回転電機に用いるリブ構造として好適である。
【符号の説明】
【００５５】
１，２，３  リブ構造
１０、１００  板体
１１，２１，３１  支柱リブ
２１ａ，３１ａ，４１ａ  貫通孔
１２，２２，３２，４２，５２  架設リブ
１２ａ  中空部
２３  吸音材
３３  支柱リブ用吸音材
４１  複合支柱リブ
４３  複合支柱リブ用吸音材
１０１  柱状リブ
１０２  単位リブ
１０２ａ，１０２ｂ，１０２ｃ  直方体状リブ
【図１】
2020043627.tif 000003
【図２】
2020043627.tif 000004
【図３】
2020043627.tif 000005
【図４】
2020043627.tif 000006
【図５】
2020043627.tif 000007
【図６】
2020043627.tif 000008
【図７】
2020043627.tif 000009
【図８】
2020043627.tif 000010
【図９】
2020043627.tif 000011